(57)【要約】【課題】コスト安で、器具高さを低くしながら、照明ムラを軽減できるようにした照明器具を提供する。【解決手段】ランプ３を保持し、ランプ３に給電することで発光させるソケット４に、このソケット４から給電されて、ランプ３とともに発光する発光体７が設けられている。  ランプ３のソケット４に、ランプ３とともに発光する発光体７を設けることで、ランプ３のソケット４の部分が明るくなって、照明ムラが軽減されるようになる。また、ソケット４に発光体７を設けるだけであるので、コスト安で、器具高さを低くすることができる。【選択図】図１
2008243497.tif 000002
【特許請求の範囲】
【請求項１】
ランプを保持し、ランプに給電することで発光させるソケットに、このソケットから給電されて、ランプとともに発光する発光体が設けられていることを特徴とする照明器具。
【請求項２】
前記発光体には、ランプの消灯時に、発光体の点灯を継続させる点灯継続回路が接続されていることを特徴とする請求項１に記載の照明器具。
【請求項３】
前記発光体は、ソケットの頂部に埋め込まれた発光ダイオードであることを特徴とする請求項１または２に記載の照明器具。
【請求項４】
前記ランプは、直管形蛍光ランプが１列に連続して配置されるものであり、各直管形蛍光ランプの両端部がソケットで保持されるものであることを特徴とする請求項１〜３のいずれか一項に記載の照明器具。
【請求項５】
前記ランプおよびソケットの下方には、ランプおよび発光体の発光を拡散させるための拡散カバーが設けられていることを特徴とする請求項１〜４のいずれか一項に記載の照明器具。
【発明の詳細な説明】
【技術分野】
【０００１】
本発明は、照明器具に関する。
【背景技術】
【０００２】
従来、複数の直管形蛍光ランプを１列に連続して配置した場合、隣接する直管形蛍光ランプの端部（ソケット）の部分が暗くなって、照明ムラとなるのを軽減するために、制光体を配置して、直管形蛍光ランプから入射する光を直管形蛍光ランプの端部方向へ出射させるようにしたものがある（特許文献１参照）。
【特許文献１】特開平１１−７３８０８号公報
【発明の開示】
【発明が解決しようとする課題】
【０００３】
しかしながら、特許文献１では、リフレクターである制光体を別に必要とするので、コストが高くなるとともに、制光体を配置するために器具高さが高くなるという問題があった。
【０００４】
本発明は、前記問題を解消するためになされたもので、コスト安で、器具高さを低くしながら、照明ムラを軽減できるようにした照明器具を提供することを目的とするものである。
【課題を解決するための手段】
【０００５】
前記課題を解決するために、本発明は、ランプを保持し、ランプに給電することで発光させるソケットに、このソケットから給電されて、ランプとともに発光する発光体が設けられていることを特徴とする照明器具を提供するものである。
【０００６】
請求項２のように、前記発光体には、ランプの消灯時に、発光体の点灯を継続させる点灯継続回路が接続されていることが好ましい。
【０００７】
請求項３のように、前記発光体は、ソケットの頂部に埋め込まれた発光ダイオードであることが好ましい。
【０００８】
請求項４のように、前記ランプは、直管形蛍光ランプが１列に連続して配置されるものであり、各直管形蛍光ランプの両端部がソケットで保持されるものであることが好ましい。
【０００９】
請求項５のように、前記ランプおよびソケットの下方には、ランプおよび発光体の発光を拡散させるための拡散カバーが設けられていることが好ましい。
【発明の効果】
【００１０】
本発明によれば、ランプのソケットに、ランプとともに発光する発光体を設けたものであるから、ランプのソケットの部分が明るくなって、照明ムラが軽減されるようになる。また、ソケットに発光体を設けるだけであるので、コスト安で、器具高さを低くすることができる。
【００１１】
請求項２によれば、ランプの消灯時でも点灯継続回路で発光体の点灯を継続させることで、夜間等に点灯させる常夜灯（豆球）として使用することができる。
【００１２】
請求項３によれば、ソケットの頂部に発光ダイオードを埋め込むことで、よりコスト安で、より器具高さを低くすることができる。
【００１３】
請求項４によれば、連続配置した直管形蛍光ランプのソケットの部分の照明ムラが軽減されるので、光源（直管形蛍光ランプ）数を削減することができる。
【００１４】
請求項５によれば、拡散カバーでランプおよび発光体の発光を拡散させることができるので、より照明ムラが軽減されるようになる。
【発明を実施するための最良の形態】
【００１５】
以下、本発明を実施するための最良の形態について、図面を参照しながら詳細に説明する。
【００１６】
図１は、第１実施形態の直接照明タイプの照明器具１Ａであり、（ａ）は正面断面図、（ｂ）は側面断面図である。
【００１７】
天井等に固定されるベース２には、１列に連続して配置される複数の直管形蛍光ランプ３の各両端部を保持するためのソケット４がそれぞれ取付けられている。各ソケット４には、ランプ３に給電するための公知の導電金具が設けられていて、ソケット４に差し込んだランプ３を発光させるようになっている。
【００１８】
ランプ３およびソケット４の下方には、ランプ３および後述する発光体７の発光を拡散させるための拡散カバー５が設けられている。
【００１９】
図２は、第２実施形態の間接照明タイプの照明器具１Ｂであり、（ａ）は正面断面図、（ｂ）は側面断面図である。
【００２０】
壁面等に固定される略逆Ｃ状のホルダー６には、１列に連続して配置される複数の直管形蛍光ランプ３の各両端部を保持するためのソケット４がそれぞれ取付けられている。各ソケット４には、ランプ３に給電するための公知の導電金具が設けられていて、ソケット４に差し込んだランプ３を発光させるようになっている。
【００２１】
各ソケット４には、図３（ａ）（ｂ）に詳細に示すように、ランプ３の端部の接点を差し込むための接点差し込み部４ａと、電源の給電線と接続するための給電接点４ｂとが設けられるとともに、各ソケット４の頂部には、各ソケット４から給電されて、ランプ３とともに発光する発光体７が設けられている。
【００２２】
この発光体７は、図４（ａ）に示すように、例えば、複数個の発光ダイオード（ＬＥＤ）７ａが各ソケット４の頂部に埋め込まれたものである。なお、発光ダイオードに代えて、豆球であっても良い。
【００２３】
ランプ３と発光ダイオード７ａとは、図４（ｂ）に示すように、電源８に対して、複数のスイッチａ，ｂが介設された電源回路に接続されている。このスイッチａ，ｂは、点灯継続回路９を構成する。なお、点灯継続回路９は、スイッチａ，ｂの回路構成に限られるものではない。
【００２４】
前記のような構成であれば、ランプ３のソケット４に、ランプ３とともに発光する発光ダイオード７ａを設けたものであるから、ランプ３のソケット４の部分が明るくなって、照明ムラが軽減されるようになる。特に、連続配置した直管形蛍光ランプ３であれば、ソケット４の部分の照明ムラが軽減されるので、直管形蛍光ランプ３の本数を削減することができる。
【００２５】
また、ソケット４に発光ダイオード７ａを設けるだけであるので、コスト安で、器具高さを低くすることができる。
【００２６】
さらに、ソケット４の頂部に発光ダイオード７ａを埋め込むようにすれば、よりコスト安で、より器具高さを低くすることができる。
【００２７】
また、拡散カバー５でランプ３および発光体７の発光を拡散させることができるので、より照明ムラが軽減されるようになる。
【００２８】
一方、図４（ｂ）のように、スイッチａ，ｂを同時にオンすれば、ランプ３と発光ダイオード７ａとは同時に点灯して発光し、スイッチａ，ｂを同時にオフすれば、ランプ３と発光ダイオード７ａとは同時に消灯する。
【００２９】
また、スイッチａ，ｂを同時にオンした状態からスイッチａのみをオフすれば、ランプ３はオフするが、発光ダイオード７ａの点灯は継続したままとなる。
【００３０】
このように、ランプ３の消灯時でも点灯継続回路９で発光ダイオード７ａの点灯を継続させることで、夜間等に点灯させる常夜灯（豆球）として使用することができる。
【図面の簡単な説明】
【００３１】
【図１】本発明の第１実施形態の直接照明タイプの照明器具であり、（ａ）は正面断面図、（ｂ）は側面断面図である。
【図２】本発明の第２実施形態の直接照明タイプの照明器具であり、（ａ）は正面断面図、（ｂ）は側面断面図である。
【図３】ソケットであり、（ａ）は側面図、（ｂ）は正面図である。
【図４】（ａ）は発光体の拡大斜視図、（ｂ）は電源回路図である。
【符号の説明】
【００３２】
１Ａ，１Ｂ  照明器具
３    ランプ
４    ソケット
５    拡散カバー
７    発光体
７ａ  発光ダイオード
８    電源
９    点灯継続回路
ａ，ｂ  スイッチ
【図１】
2008243497.tif 000003
【図２】
2008243497.tif 000004
【図３】
2008243497.tif 000005
【図４】
2008243497.tif 000006